(57)【要約】【課題】構造の簡素化を図った上で、輝度ムラを抑制することができる発光装置及び発光装置の製造方法、電子機器を提供する。【解決手段】陽極１０と陰極１１との間に発光層４０が挟持された複数の発光素子２１と、複数の発光素子２１に対応して配置された複数の着色層３７Ｒ−１，３７Ｒ−２と、を備えた有機ＥＬ装置１において、複数の発光素子２１から射出される光の発光輝度に応じて、発光素子２１に対応する着色層３７Ｒ−１，３７Ｒ−２の膜厚が設定されていることを特徴とする。【選択図】図４
2009164025.tif 000002
【特許請求の範囲】
【請求項１】
第１電極と第２電極との間に発光層が挟持された複数の発光素子と、
前記複数の発光素子に対応して配置された複数の着色層と、を備えた発光装置において、
前記複数の発光素子から射出される光の発光輝度に応じて、前記発光素子に対応する前記着色層の光透過率が補正されていることを特徴とする発光装置。
【請求項２】
前記複数の発光素子から射出される光の発光輝度に応じて、前記発光素子に対応する前記着色層の膜厚が設定されていることを特徴とする請求項１記載の発光装置。
【請求項３】
前記複数の発光素子のうち、発光輝度が高い前記発光素子に対応する前記着色層の膜厚が、発光輝度が低い前記発光素子に対応する前記着色層の膜厚に比べて厚く形成されていることを特徴とする請求項２記載の発光装置。
【請求項４】
前記複数の発光素子から射出される光の発光輝度に応じて、前記発光素子に対応する前記着色層の色材の濃度が設定されていることを特徴とする請求項１ないし請求項３の何れか１項に記載の発光装置。
【請求項５】
前記複数の発光素子のうち、発光輝度が高い前記発光素子に対応する前記着色層の色材の濃度が、発光輝度が低い前記発光素子に対応する前記着色層の色材の濃度に比べて濃く形成されていることを特徴とする請求項４記載の発光装置。
【請求項６】
前記複数の発光素子から射出される光の発光輝度に応じて、前記発光素子の発光領域に対応する前記着色層の前記発光領域との対向面の面積が設定されていることを特徴とする請求項１ないし請求項５の何れか１項に記載の発光装置。
【請求項７】
前記複数の発光素子のうち、発光輝度が高い前記発光素子の発光領域に対応する前記着色層の前記発光領域との対向面の面積が、発光輝度が低い前記発光素子に対応する前記着色層の前記発光領域との対向面の面積に比べて大きく形成されていることを特徴とする請求項６記載の発光装置。
【請求項８】
前記発光素子から射出され隣接する前記発光素子に対応した前記着色層に入射する光が、全反射条件を満たすことを特徴とする請求項１ないし請求項７の何れか１項に記載の発光装置。
【請求項９】
前記発光層は、白色光を発光することを特徴とする請求項１ないし請求項８の何れか１項に記載の発光装置。
【請求項１０】
前記第１電極は光透過性を有するとともに、前記第２電極は半透過反射性を有し、前記第１電極を挟んで前記発光層の反対側には光反射層が配置され、前記光反射層と前記第２電極との間で、前記発光素子から射出された光を共振させる光共振器構造が構成されていることを特徴とする請求項１ないし請求項９の何れか１項に記載の発光装置。
【請求項１１】
第１電極と第２電極との間に発光層が挟持された複数の発光素子を形成する発光素子形成工程と、
前記複数の発光素子に対応して複数の着色層を形成する着色層形成工程と、を有する発光装置の製造方法であって、
前記着色層形成工程に先立って、前記発光素子から射出される光の発光輝度を検出する発光輝度検出工程を有し、
前記着色層形成工程では、前記発光輝度検出工程の検出結果に基づいて、前記着色層の光透過率を補正することを特徴とする発光装置の製造方法。
【請求項１２】
前記発光輝度検出工程は、前記複数の発光素子の輝度ムラを測定する工程と、
前記輝度ムラに基づいて前記発光素子から射出される光の発光輝度を算出する工程と、を有することを特徴とする請求項１１記載の発光装置の製造方法。
【請求項１３】
前記発光輝度検出工程は、前記発光素子に流れる駆動電流の電流値を測定する工程と、
前記電流値に基づいて前記発光素子から射出される光の発光輝度を算出する工程と、を有することを特徴とする請求項１１記載の発光装置の製造方法。
【請求項１４】
前記着色層形成工程は、液滴吐出法により前記着色層の形成材料を塗布することを特徴とする請求項１１ないし請求項１３の何れか１項に記載の発光装置の製造方法。
【請求項１５】
請求項１から請求項１０のいずれか１項に記載の発光装置を備えたことを特徴とする電子機器。
【発明の詳細な説明】
【技術分野】
【０００１】
本発明は、発光装置及び発光装置の製造方法、電子機器に関するものである。
【背景技術】
【０００２】
近年、情報機器の多様化等に伴い、消費電力が低く軽量化された発光装置のニーズが高まっている。この様な発光装置の一つとして、有機エレクトロルミネッセンス装置（以下、「有機ＥＬ装置」という）が知られている。この有機ＥＬ装置は、陽極（第１電極）と陰極（第２電極）との間に発光層を有する発光素子を備えたものが一般的である。有機ＥＬ装置は、発光素子の発光層自体が発光する性質を有するため、消費電力が低い、コントラストが高い、視野角特性が良い等の利点があり、ＬＣＤ（Ｌｉｑｕｉｄ  Ｃｒｙｓｔａｌ  Ｄｉｓｐｌａｙ）に代わる発光装置として注目されている。
【０００３】
ところで、上述の有機ＥＬ装置は、発光素子に流れる駆動電流や発光層の膜厚に比例して発光輝度が変化する。そのため、電源供給線による電圧降下や、駆動ＴＦＴの閾値電圧・移動度のばらつき、発光素子自体の電流−光出力特性（Ｉ−Ｌ特性）のばらつき等により、発光輝度の低下や輝度ムラが発生するという問題がある。
【０００４】
そこで、有機ＥＬ装置の輝度ムラを抑制するために、種々の技術が提案されている。例えば特許文献１に示すように、閾値電圧のばらつきを補償するための組み込み回路の構成が知られている。また、例えば特許文献２に示すように、電圧降下算出手段によって算出された各画素毎の電源電圧降下に基づいて、電源電圧降下による発光輝度低下を補完するような構成が知られている。
【特許文献１】特開２００３−２２０４９号公報
【特許文献２】特開２００３−２８０５９０号公報
【発明の開示】
【発明が解決しようとする課題】
【０００５】
しかしながら、上述した従来技術にあっては、輝度ムラを抑制するために電気的な制御を行う構成であるため、有機ＥＬ装置に補正回路を設ける必要がある。そのため、有機ＥＬ装置の回路構成が複雑になってしまうという問題がある。また、上述したように輝度ムラの発生原因としては様々な原因が考えられるため、それら全ての原因に対して補正を行うことができるものでもない。さらに、発光素子は経時劣化するため、電気的に補正を行って初期発光時の輝度ムラを改善することができても、各発光素子に流れる電流値の差によって発光素子の劣化速度にばらつきが生じ、その結果、輝度ムラを招く虞となる。
【０００６】
そこで、本発明は上記課題を解決するためになされたものであって、構造の簡素化を図った上で、輝度ムラを抑制することができる発光装置及び発光装置の製造方法、電子機器を提供することを目的とする。
【課題を解決するための手段】
【０００７】
上記目的を達成するため、本発明に係る発光装置は、第１電極と第２電極との間に発光層が挟持された複数の発光素子と、前記複数の発光素子に対応して配置された複数の着色層と、を備えた発光装置において、前記複数の発光素子から射出される光の発光輝度に応じて、前記発光素子に対応する前記着色層の光透過率が補正されていることを特徴とする。
この構成によれば、発光素子から射出される光の発光輝度に応じて、着色層の光透過率を補正することで、発光素子から射出された光の輝度ムラを抑制することができる。つまり、発光素子から射出される光が着色層を透過することで、様々な原因により発光素子に輝度ムラが発生した場合でも、表示面（着色層の射出側）から取り出される光の発光輝度を均一化することができる。したがって、従来のように発光素子の発光輝度を電気的な制御で補正する場合に比べ、構造の簡素化を図った上で、輝度ムラを抑制することができる。
【０００８】
また、前記複数の発光素子から射出される光の発光輝度に応じて、前記発光素子に対応する前記着色層の膜厚が設定されていることを特徴とする。
この構成によれば、着色層の膜厚を設定することで、着色層を透過する光の透過率を調整することができる。つまり、発光素子から射出される光の発光輝度に応じて、着色層の膜厚を設定することで、着色層を透過して表示面から取り出される光の発光輝度を均一化することができる。
【０００９】
また、前記複数の発光素子のうち、発光輝度が高い前記発光素子に対応する前記着色層の膜厚が、発光輝度が低い前記発光素子に対応する前記着色層の膜厚に比べて厚く形成されていることを特徴とする。
この構成によれば、着色層の膜厚を厚く形成するにつれ、光の透過率が低下して着色層で吸収される光の吸収量が多くなるため、発光素子から射出される光の発光輝度は低下する。これにより、発光輝度の高い発光素子に対応した着色層を透過する光の発光輝度を、発光輝度の低い発光素子に対応する着色層を透過する発光輝度に近づけることができる。つまり、発光素子から射出される光の発光強度に応じて、着色層の膜厚を設定することで、着色層を透過して表示面から取り出される光の発光輝度を均一化することができる。
【００１０】
また、前記複数の発光素子から射出される光の発光輝度に応じて、前記発光素子に対応する前記着色層の色材の濃度が設定されていることを特徴とする。
この構成によれば、着色層の色材の濃度を設定することで、着色層を透過する光の透過率を調整することができる。つまり、発光素子から射出される光の発光強度に応じて、着色層の色材の濃度を設定することで、着色層を透過して表示面から取り出される光の発光輝度を均一化することができる。
【００１１】
また、前記複数の発光素子のうち、発光輝度が高い前記発光素子に対応する前記着色層の色材の濃度が、発光輝度が低い前記発光素子に対応する前記着色層の色材の濃度に比べて濃く形成されていることを特徴とする。
この構成によれば、着色層の色材の濃度を濃く形成するにつれ、光の透過率が低下して着色層で吸収される光の吸収量が多くなり、発光素子から射出される光の発光強度は低下する。これにより、発光強度の高い発光素子に対応した着色層を透過する光の発光強度を、発光強度の低い発光素子に対応する着色層を透過する発光強度に近づけることができる。つまり、発光素子から射出される光の発光強度に応じて、着色層の色材の濃度を設定することで、着色層を透過して表示面から取り出される光の発光輝度を均一化することができる。
【００１２】
また、前記複数の発光素子から射出される光の発光輝度に応じて、前記発光素子の発光領域に対応する前記着色層の前記発光領域との対向面の面積が設定されていることを特徴とする。
この構成によれば、発光領域に対応する着色層の発光領域との対向面の面積を調整することで、発光素子から射出される光のうち、一部の光は着色層を透過し、残りの光は着色層を透過せず、発光素子から射出された光の状態で表示面から取り出されることになる。つまり、着色層を透過しない光は着色層で吸収されず、発光素子から射出された状態の発光強度を維持することができる。具体的には、着色層と発光領域との対向面の面積を小さく形成するにつれ、着色層で吸収される光の吸収量が少なくなり、発光素子から射出される光の発光強度が維持される。したがって、着色層を透過して表示面から取り出される光の発光輝度を均一化することができる。
【００１３】
また、前記複数の発光素子のうち、発光輝度が高い前記発光素子の発光領域に対応する前記着色層の前記発光領域との対向面の面積が、発光輝度が低い前記発光素子に対応する前記着色層の前記発光領域との対向面の面積に比べて大きく形成されていることを特徴とする。
この構成によれば、発光強度の高い発光素子に対応した着色層を透過する光の発光強度を、発光強度の低い発光素子に対応する着色層を透過する発光強度に近づけることができる。つまり、発光素子の発光強度が低い発光素子の着色層と発光領域との対向面の面積を小さく形成するにつれ、着色層で吸収される光の吸収量が少なくなるため、着色層を透過して表示面から取り出される光の発光輝度を均一化することができる。
【００１４】
また、前記発光素子から射出され隣接する前記発光素子に対応した前記着色層に入射する光が、全反射条件を満たすように設定されていることを特徴とする。
この構成によれば、発光素子から射出された光が、隣接する発光素子の着色層を透過して表示面から射出することがない。つまり、発光素子から射出して隣接する発光素子の着色層に入射する光は、表示面と空気との境界面を透過せず、全て発光素子側に反射することになる。そのため、例えば着色層間にブラックマトリクス層等の非発光領域を設けることなく、隣接する発光素子間の光漏れを防止して、色再現性を維持することができる。
【００１５】
また、前記発光層は、白色光を発光することを特徴とする。
この構成によれば、発光素子から射出された光は、着色層で着色されて取り出されるため、製造効率を向上させた上で安価にフルカラー表示を行うことができる。
【００１６】
また、前記第１電極は光透過性を有するとともに、前記第２電極は半透過反射性を有し、前記第１電極を挟んで前記発光層の反対側には光反射層が配置され、前記光反射層と前記第２電極との間で、前記発光素子から射出された光を共振させる光共振器構造が構成されていることを特徴とする。
この構成によれば、発光素子から射出された光を共振させる光共振構造を構成することで、発光素子からは光反射層と第２電極との間の光学的距離に対応した共振波長の条件を満たす光のみが増幅されて取り出される。つまり、赤（Ｒ），緑（Ｇ），青（Ｂ）の各色に対応する共振波長を有する発光素子を形成することで、フルカラー表示が可能な発光装置を提供することができる。これにより、着色層を透過せずに着色層の周囲を透過した光自体も、各発光領域に対応した色を有することになる。そして、表示面から表示される画像は、着色層によって着色された光と、着色層を透過せずに取り出された高輝度かつ各発光領域に対応した色を有する光とによって表示される。したがって、低電流で高輝度を得ることに加え、色再現性を向上させることができる。
また、視野角が大きい場合においても、発光輝度及び色純度の視野角特性を向上させることができる。
【００１７】
また、第１電極と第２電極との間に発光層が挟持された複数の発光素子を形成する発光素子形成工程と、前記複数の発光素子に対応して複数の着色層を形成する着色層形成工程と、を有する発光装置の製造方法であって、前記着色層形成工程に先立って、前記発光素子から射出される光の発光輝度を検出する発光輝度検出工程を有し、前記着色層形成工程では、前記発光輝度検出工程の検出結果に基づいて、前記着色層の光透過率を補正することを特徴とする。
この構成によれば、発光輝度検出工程に基づいて、着色層の光透過率を補正することで、発光素子から射出された光の輝度ムラを抑制することができる。つまり、発光素子から射出される光が着色層を透過することで、様々な原因により発光素子に輝度ムラが発生した場合でも、表示面（着色層の射出側）から取り出される光の発光輝度を均一化することができる。したがって、従来のように発光素子の発光輝度を電気的な制御で補正する場合に比べ、構造の簡素化を図った上で、輝度ムラを抑制することができる。
【００１８】
また、前記発光輝度検出工程は、前記複数の発光素子の輝度ムラを測定する工程と、前記発光ムラに基づいて前記発光素子から射出される光の発光輝度を算出する工程と、を有することを特徴とする。
この構成によれば、発光素子自体の発光輝度を算出することができるため、この検出結果に基づいて、容易に着色層の補正を行うことができる。
【００１９】
また、前記発光輝度検出工程は、前記発光素子に流れる駆動電流の電流値を測定する工程と、前記電流値に基づいて前記発光素子から射出される光の発光輝度を算出する工程と、を有することを特徴とする。
この構成によれば、発光素子自体の発光輝度を算出することができるため、この検出結果に基づいて、容易に着色層の補正を行うことができる。
【００２０】
また、前記着色層形成工程は、液滴吐出法により前記着色層の形成材料を塗布することを特徴とする。
この構成によれば、液滴吐出法の吐出条件を設定することで、着色層を各着色層の形成領域に、精度良く形成することができる。
【００２１】
一方、本発明に係る電子機器は、上記発光装置を備えたことを特徴とする。
この構成によれば、上記本発明の発光装置を備えているため、構造の簡素化を図った上で、輝度ムラを抑制することができる。
【発明を実施するための最良の形態】
【００２２】
（第１実施形態）
（有機ＥＬ装置）
図１は、本実施形態の有機ＥＬ装置の配線構造を示す模式図であり、図１において符号１は有機ＥＬ装置である。
この有機ＥＬ装置１は、スイッチング素子として薄膜トランジスタ（Ｔｈｉｎ  Ｆｉｌｍ  Ｔｒａｎｓｉｓｔｏｒ、以下ＴＦＴと称する。）を用いたアクティブマトリクス方式のもので、複数の走査線１０１…と、各走査線１０１に対して直角に交差する方向に延びる複数の信号線１０２…と、各信号線１０２に並列に延びる複数の電源線１０３…とからなる配線構成を有し、走査線１０１…と信号線１０２…との各交点付近に画素領域（単位画素領域）Ｘ…を形成したものである。
もちろん本発明の技術的思想に沿えば、ＴＦＴなどを用いるアクティブマトリクスは必須ではなく、単純マトリクス向けの素子基板を用いて本発明を実施し、単純マトリクス駆動しても全く同じ効果が低コストで得られる。
【００２３】
信号線１０２には、シフトレジスタ、レベルシフタ、ビデオライン及びアナログスイッチを備えるデータ線駆動回路１００が接続されている。また、走査線１０１には、シフトレジスタ及びレベルシフタを備える走査線駆動回路８０が接続されている。
【００２４】
さらに、画素領域Ｘの各々には、走査線１０１を介して走査信号がゲート電極に供給されるスイッチング用ＴＦＴ（スイッチング素子）１１２と、このスイッチング用ＴＦＴ１１２を介して信号線１０２から共有される画素信号を保持する保持容量１１３と、該保持容量１１３によって保持された画素信号がゲート電極に供給される駆動用ＴＦＴ（スイッチング素子）１２３と、この駆動用ＴＦＴ１２３を介して電源線１０３に電気的に接続したときに該電源線１０３から駆動電流が流れ込む陽極１０と、該陽極１０と陰極１１との間に挟み込まれた発光層４０が設けられている。
【００２５】
この有機ＥＬ装置１によれば、走査線１０１が駆動されてスイッチング用ＴＦＴ１１２がオン状態になると、そのときの信号線１０２の電位が保持容量１１３に保持され、該保持容量１１３の状態に応じて、駆動用ＴＦＴ１２３のオン・オフ状態が決まる。そして、駆動用ＴＦＴ１２３のチャネルを介して、電源線１０３から陽極１０に電流が流れ、さらに発光層４０を介して陰極１１に電流が流れる。発光層４０は、これを流れる電流量に応じて発光する。
【００２６】
次に、本実施形態の有機ＥＬ装置の具体的な態様を、図２〜図４を参照して説明する。ここで、図２は有機ＥＬ装置の構成を模式的に示す平面図である。図３は図２のＡ−Ａ’線に沿う断面図であり、有機ＥＬ装置を模式的に示す断面図である。
【００２７】
まず、図２を参照し、有機ＥＬ装置１の構成を説明する。
図２は、基板本体２０上に形成された前述した各種配線，ＴＦＴ，各種回路によって、発光層４０を発光させるＴＦＴ素子基板（以下「素子基板」という。）２０Ａを示す図である。
有機ＥＬ装置の素子基板２０Ａは、中央部分の実表示領域４（図２中二点鎖線枠内）と、実表示領域４の周囲に配置されたダミー領域５（一点鎖線および二点鎖線の間の領域）とを備えている。
【００２８】
図１に示す画素領域Ｘからは、赤色光（Ｒ）、緑色光（Ｇ）または青色光（Ｂ）のいずれかの光が取り出され、図２に示す表示領域ＲＧＢが形成されている。実表示領域４においては、表示領域ＲＧＢがマトリクス状に配置されている。また、表示領域ＲＧＢの各々は、紙面縦方向において同一色で配列しており、いわゆるストライプ配置を構成している。そして、表示領域ＲＧＢが一つのまとまりとなって、表示単位画素が構成されており、該表示単位画素はＲＧＢの発光を混色させてフルカラー表示を行うようになっている。
【００２９】
実表示領域４の図２中両側であってダミー領域５の下層側には、走査線駆動回路８０、８０が配置されている。また、実表示領域４の図２中上方側であってダミー領域５の下層側には、検査回路９０が配置されている。この検査回路９０は、有機ＥＬ装置１の作動状況を検査するための回路であって、例えば検査結果を外部に出力する検査情報出力手段（不図示）を備え、製造途中や出荷時における有機ＥＬ装置１の品質、欠陥の検査を行うことができるように構成されている。
【００３０】
図３に示すように、本実施形態における有機ＥＬ装置１は、いわゆる「トップエミッション構造」の有機ＥＬ装置である。この有機ＥＬ装置１は、素子基板２０Ａ上に陽極１０と陰極１１の間に有機機能層１２が挟持された複数の発光素子２１と、発光素子２１を画素領域ＸＲ、ＸＧ，ＸＢ毎に区切る画素隔壁１３と、素子基板２０Ａに対向配置された封止基板３１と、を備えている。この有機ＥＬ装置１は、素子基板２０Ａの対向側である封止基板３１側から発光光を取り出す構成であるため、素子基板２０Ａの材料としては、透明基板及び不透明基板のいずれも用いることができる。不透明基板としては、例えば、アルミナ等のセラミックス、ステンレススチール等の金属シートに表面酸化などの絶縁処理を施したものの他に、熱硬化性樹脂、熱可塑性樹脂などが挙げられる。
【００３１】
素子基板２０Ａ上には、窒化珪素等からなる無機絶縁層１４が形成されている。
無機絶縁層１４上にはアルミ合金等からなる金属反射板（光反射層）１５が内装された平坦化層１６が形成されている。この平坦化層１６は、アクリル系やポリイミド系等の、耐熱性絶縁性樹脂などによって形成されたもので、駆動用ＴＦＴ１２３等による表面の凹凸をなくすために形成されている。
【００３２】
平坦化層１６上には、陽極１０が形成されている。この陽極１０は、酸化物系透明導電材料によって形成され、具体的にはＩＴＯ（Ｉｎｄｉｕｍ  Ｔｉｎ  Ｏｘｉｄｅ：インジウム錫酸化物）が好適に用いられている。陽極１０は、各発光素子２１に対応して形成されており、その一端側が無機絶縁層１４に形成されたコンタクトホール（不図示）を介して駆動用ＴＦＴ１２３に接続されている。
【００３３】
陽極１０上には、画素隔壁１３が形成されている。この画素隔壁１３は、陽極１０上に開口部を有し、複数の発光素子２１を独立させて区分するものである。つまり、画素隔壁１３に囲まれた領域が発光素子２１の画素領域Ｘ（図１参照）となっており、これらは赤色光、青色光、緑色光のそれぞれの光が封止基板３１側から取り出される画素領域ＸＲ、ＸＧ，ＸＢとして割り当てられている。なお、画素隔壁１３を形成する材料として、例えばポリイミド、アクリル等の絶縁性を有する有機物を用いることができる。なお、画素隔壁１３を形成する材料として、無機物と有機物とを組み合わせたものであってもよい。
【００３４】
発光素子２１は、正孔注入・輸送層３０と発光層４０とを備えている。
正孔注入・輸送層３０は、陽極１０の正孔を発光層４０に注入・輸送するためのものであり、素子基板２０Ａ上に各画素隔壁１３を跨いで形成されている。正孔注入・輸送層３０の形成する材料としては、特に３，４−ポリエチレンジオキシチオフェン／ポリスチレンスルフォン酸（ＰＥＤＯＴ／ＰＳＳ）の水分散液が好適に用いられる。なお、正孔注入・輸送層３０の形成材料としては、上述のものに限定されることなく種々のものが使用可能である。例えば、ポリスチレン、ポリピロール、ポリアニリン、ポリアセチレンやその誘導体などを、適宜な分散媒、例えば前記のポリスチレンスルフォン酸に分散させたものなどが使用可能である。
【００３５】
発光層４０は、陰極１１から注入される電子と正孔注入・輸送層３０から注入される正孔とが結合して所定波長の光が射出される部分であり、正孔注入・輸送層３０上の全域に亘って形成されている。発光層４０は、赤色、緑色、青色を発光する発光材料が積層されて白色に発光する白色発光層を採用している。このように、白色発光層を採用することで、発光素子２１から射出された光は、後述する着色層３７Ｒ，３７Ｇ，３７Ｂで着色されて取り出されるため、製造効率を向上させた上で安価にフルカラー表示を行うことができる。なお、発光層４０の構成材料として、例えばポリフルオレン誘導体（ＰＦ）やポリパラフェニレンビニレン誘導体（ＰＰＶ）、ポリパラフェニレン誘導体（ＰＰＰ）、ポリビニカルバゾール（ＰＶＫ）、ポリチオフェン誘導体、ポリメチルフェニルシラン（ＰＭＰＳ）などのポリシラン系などの高分子有機材料を用いることができる。また、上記高分子有機材料に、例えばペリレン系色素や、クマリン系色素、ローダミン系色素、ルブレン、９，１０−ジフェニルアントラセン、テトラフェニルブタジエン、ナイルレッド、キナクリドンなどの低分子有機材料をドープしたものを用いてもよい。また、発光層４０の上層に、電子輸送層やホールブロック層を形成することが好ましい。
【００３６】
陰極１１は、各画素隔壁１３を跨いで発光層４０上の全域に亘って形成されている。陰極１１を形成するための材料としては、本実施形態はトップエミッション構造であることから光透過性を有する材料である必要があり、したがって透明導電材料が用いられる。透明導電材料としては、ＩＴＯが好適とされるが、これ以外にも、例えば酸化インジウム・酸化亜鉛系アモルファス透明導電膜（Ｉｎｄｉｕｍ  Ｚｉｎｃ  Ｏｘｉｄｅ：ＩＺＯ／アイ・ゼット・オー（登録商標））等を用いることができる。なお、本実施形態ではＩＴＯを用いるものとする。
【００３７】
陰極１１上には、有機緩衝層１８が形成されている。画素隔壁１３の形状の影響により、凹凸状に形成された陰極１１の凹凸部分を埋めるように配置され、さらに、その上面は略平坦に形成されている。有機緩衝層１８は、素子基板２０Ａの反りや体積膨張により発生する応力を緩和し、不安定な形状の画素隔壁１３からの陰極１１の剥離を防止する機能を有する。また、有機緩衝層１８の上面が略平坦化されるので、有機緩衝層１８上に形成される硬い被膜からなる後述するガスバリア層１９も平坦化される。したがって、応力が集中する部位がなくなり、これにより、ガスバリア層１９でのクラックの発生を防止することができる。
【００３８】
有機緩衝層１８上には、有機緩衝層１８を覆うようにガスバリア層１９が形成されている。ガスバリア層１９は、発光素子２１内に酸素や水分が浸入するのを防止するためのもので、これにより酸素や水分による発光素子２１の劣化等を抑えることができる。ガスバリア層１９の材質は、透明性、ガスバリア性、耐水性を考慮して、好ましくは窒素を含む珪素化合物、すなわち珪素窒化物や珪素酸窒化物などによって形成される。
【００３９】
ガスバリア層１９上には、ガスバリア層１９を覆うようにシール層２２が形成されている。シール層２２は、ガスバリア層１９上に封止基板３１を固定させ、かつ外部からの機械的衝撃に対して緩衝機能を有し、発光層４０やガスバリア層１９の保護をするものである。シール層２２は、例えばウレタン系、アクリル系、エポキシ系、ポリオレフィン系などの樹脂で、封止基板３１より柔軟でガラス転移点の低い材料からなる接着剤によって形成されている。
【００４０】
封止基板３１は、上述した素子基板２０Ａに対向配置されている。封止基板３１は、その上面が発光光を取り出す表示面として機能するため、ガラスまたは透明プラスチック（ポリエチレンテレフタレート、アクリル樹脂、ポリカーボネ―ト、ポリオレフィン等）などの光透過性を有する材料で構成されている。
【００４１】
封止基板３１の下面には、赤色着色層３７Ｒ、緑色着色層３７Ｇ、青色着色層３７Ｂがマトリクス状に配列形成されたカラーフィルタ３７が構成されている。各着色層３７Ｒ，３７Ｇ，３７Ｂは、透明バインダー層に顔料または染料が混合して構成された層で、顔料を選択することにより目的とする赤（Ｒ）、緑（Ｇ）あるいは青（Ｂ）に調整されている。なお、着色層３７Ｒ，３７Ｇ，３７Ｂは、各色のカラーレジストをパターニングして形成してもよい。また、着色層３７Ｒ，３７Ｇ，３７Ｂの色は目的に応じてライトブルーやライトシアン、白などを加えてもよい。これにより、発光層４０から射出された光のうち、各色の波長に対応した光（例えば、赤色光は波長６１０ｎｍ、緑色光は波長５３０ｎｍ、青色光は波長４７０ｎｍ）のみが着色層３７Ｒ，３７Ｇ，３７Ｂの各々を透過し、各色光として観察者側に射出されるようになっている。このように着色層３７Ｒ，３７Ｇ，３７Ｂを透過した光のみが取り出されるため、より色再現性のよい有機ＥＬ装置１を提供することができる。
【００４２】
着色層３７Ｒ，３７Ｇ，３７Ｂの領域の間には、ブラックマトリクス層３２が形成されている。このブラックマトリクス層３２は、着色層３７Ｒ，３７Ｇ，３７Ｂを区分して非発光部分として構成しており、隣接する画素領域ＸＲ，ＸＧ、ＸＢ間の光漏れを防止するものである。ブラックマトリクス層３２の構成材料としては、カーボンブラック等の顔料が混入された樹脂からなる遮光層である。なお、このブラックマトリクス層３２には、フッ素樹脂等の撥液性を有する樹脂を混合させてもよい。
【００４３】
図４は図２のＢ−Ｂ’線に沿う断面図であり、有機ＥＬ装置を模式的に示す断面図である。なお、各色の着色層の構成は略同一であるため、本実施形態では赤色着色層を例にして説明する。
ところで、有機ＥＬ装置１は発光素子２１に流れる駆動電流や発光層４０の膜厚に比例して発光輝度が変化する。従来技術にあっては、輝度ムラを抑制するために電気的な制御を行う構成であるため、有機ＥＬ装置に補正回路を設ける必要がある。そのため、有機ＥＬ装置の回路構成が複雑になってしまうという問題がある。また、輝度ムラの発生原因としては上述した様々な原因が考えられるため、それらに全ての原因に対して補正を行うことができるものでもない。その結果、発光素子の発光輝度にばらつきが生じ、輝度ムラを招く虞となる。
【００４４】
そこで、図４に示すように、本実施形態では、各発光素子２１から射出される光の発光輝度に応じて、各発光素子２１に対応する各着色層３７Ｒ，３７Ｇ，３７Ｂ（図３参照）における光の透過率を補正する構成とした。具体的には、発光素子２１から射出される光の発光輝度が高い発光素子２１に対応する赤色着色層３７Ｒ−１の膜厚が厚く、発光輝度が低い発光素子２１に対応する着色層３７Ｒ−２の膜厚が薄く形成されている。つまり、発光輝度の高い発光素子２１に対応する着色層３７Ｒ−１の膜厚が、発光輝度の低い発光素子２１に対応する着色層３７Ｒ−２の膜厚に比べ厚く形成されている。
【００４５】
このように、着色層３７Ｒ，３７Ｇ，３７Ｂ（図３参照）の膜厚を設定することで、着色層３７Ｒ，３７Ｇ，３７Ｂを透過する光の透過率を調整することができる。具体的には、着色層３７Ｒ，３７Ｇ，３７Ｂの膜厚を厚く形成するにつれ、光の透過率が低下して着色層３７Ｒ，３７Ｇ，３７Ｂで吸収される光の吸収量が多くなるため、着色層３７Ｒ，３７Ｇ，３７Ｂを透過した光の発光輝度は低下する。つまり、発光素子２１から射出される光の発光輝度に応じて、着色層３７Ｒ，３７Ｇ，３７Ｂの膜厚を設定することで、着色層３７Ｒ，３７Ｇ，３７Ｂを透過して表示面（封止基板３１の表面）から取り出される光の発光輝度を均一化することができる（図４中矢印参照）。
【００４６】
（有機ＥＬ装置の製造方法）
次に、図５，６を参照して本実施形態における有機ＥＬ装置１の製造方法を説明する。
ここで、図５は、有機ＥＬ装置１の素子基板２０Ａ側の工程図であり、図６は、封止基板３１側の工程図である。
【００４７】
発光素子形成工程として、まず図５（ａ）に示すように、陽極１０及び画素隔壁１３までが積層された素子基板２０Ａ上に正孔注入・輸送層３０を形成する。具体的には、素子基板２０Ａ上にスピンコート法等を用いて不図示の機能液（ＰＥＤＯＴ／ＰＳＳ分散液）を塗布し、乾燥及び焼成することにより形成する。
次に、図５（ｂ）に示すように、正孔注入・輸送層３０上に発光層４０を形成する。具体的には、スピンコート法等を用いて不図示の機能液（発光層の形成材料を含む機能液）を塗布し、乾燥およびアニール処理して形成する。
【００４８】
そして、図５（ｃ）に示すように、発光層４０上に陰極１１を形成する。具体的には、真空蒸着法等により発光層４０を覆うように形成する。これにより、素子基板２０Ａ上に発光素子２１が形成される。
【００４９】
次に、図５（ｄ）に示すように、スクリーン印刷法等により陰極１１上に有機緩衝層１８を形成し、その後、ＥＣＲスパッタ法やイオンプレーティング法等の高密度プラズマ成膜法により有機緩衝層１８上にガスバリア層１９を形成する。これにより、素子基板２０Ａ側の工程が終了する。
【００５０】
ここで、発光素子２１の発光輝度を検出する（発光輝度測定工程）。具体的には、素子基板２０Ａ側の工程が終了した時点で、発光素子２１を発光させ、ムラ測定器を用いて各発光素子２１の輝度ムラを測定する。そして、測定した輝度ムラから各発光素子２１の発光輝度を算出する。なお、発光輝度検出工程は、有機緩衝層１８を形成する前に行ってもよい。
【００５１】
一方、図６（ａ）に示すように、封止基板３１側には、まず封止基板３１の表面にブラックマトリクス層３２を形成する。具体的には、ブラックマトリクス層３２の材料液をインクジェット法等の非接触塗布法により塗布する。
【００５２】
ここで、図６（ｂ）に示すように、ブラックマトリクス層３２の間に着色層３７Ｒ，３７Ｇ，３７Ｂを形成する（着色層形成工程）。着色層形成工程では、まず上述の発光輝度検出工程で算出した各発光素子２１の発光輝度のデータに基づいて、各発光素子２１に対応した着色層３７Ｒ，３７Ｇ，３７Ｂの最適な膜厚を算出する（膜厚算出工程）。着色層３７Ｒ，３７Ｇ，３７Ｂの膜厚は、各発光素子２１のそれぞれの発光輝度と着色層３７Ｒ，３７Ｇ，３７Ｂの透過率との積により求めることができる。
【００５３】
そして、着色層３７Ｒ，３７Ｇ，３７Ｂを透過して表示面から射出される光の発光輝度が、各発光素子２１間で均一になるように設定する。具体的には、発光輝度が高い発光素子２１に対応する赤色着色層３７Ｒ−１（図４参照）における光の透過率が、発光輝度が低い発光素子２１に対応する着色層３７Ｒ−２（図４参照）における光の透過率に比べ高くなるように設定する。つまり、発光輝度の高い発光素子２１に対応する着色層３７Ｒ−１の膜厚を、発光輝度の低い発光素子２１に対応する着色層３７Ｒ−２の膜厚に比べ厚く形成する。これにより、発光輝度の高い発光素子２１に対応した赤色着色層３７Ｒ−１を透過する光の発光輝度を、発光輝度の低い発光素子２１に対応した赤色着色層３７Ｒ−２を透過する光の発光輝度に近づけることができる。
【００５４】
着色層３７Ｒ，３７Ｇ，３７Ｂの形成は、ブラックマトリクス層３２を隔壁として、着色層３７Ｒ，３７Ｇ，３７Ｂの材料液を、インクジェット法を用いて塗布することで形成する。具体的には、インクジェット法の吐出量や、吐出回数等の吐出条件を調整することによって、上述した膜厚算出工程で算出した着色層３７Ｒ，３７Ｇ，３７Ｂの膜厚に形成する。このように、インクジェット法を用いることで、着色層３７Ｒ，３７Ｇ，３７Ｂを各着色層３７Ｒ，３７Ｇ，３７Ｂの形成領域に、精度良く形成することができる。なお、着色層３７Ｒ，３７Ｇ，３７Ｂの形成は、インクジェット法以外の非接触塗布法により塗布する方法を用いてもよい。
【００５５】
次に、ディスペンス法等により、着色層３７Ｒ，３７Ｇ，３７Ｂ及びブラックマトリクス層３２が形成された封止基板３１上にシール層２２を塗布する。
最後に、ガスバリア層１９までが形成された素子基板２０Ａ側（図４（ｄ）参照）と、シール層２２が塗布された封止基板３１とを貼り合わせる。以上より、前述した本実施形態における所望の有機ＥＬ装置１（図３参照）を得ることができる。
【００５６】
このように、本実施形態によれば、発光素子２１から射出される光の発光輝度に応じて、着色層３７Ｒ，３７Ｇ，３７Ｂにおける光の透過率を補正することで、発光素子２１から射出された光の輝度ムラを抑制することができる。具体的には、発光素子２１から射出される光の発光輝度に応じて着色層３７Ｒ，３７Ｇ，３７Ｂの膜厚を設定することで、着色層３７Ｒ，３７Ｇ，３７Ｂを透過する光の透過率を調整することができる。つまり、発光素子２１から射出される光が着色層３７Ｒ，３７Ｇ，３７Ｂを透過することで、上述した様々な原因により発光素子２１に輝度ムラが発生した場合でも、表示面から取り出される最終的な光の発光輝度を均一化することができる。
【００５７】
したがって、従来のように発光素子２１の発光輝度を電気的な制御で補正する場合に比べ、駆動電流の補正回路を設ける必要がないため、構造の簡素化及び製造効率の維持を図った上で、輝度ムラ発生の原因を問わず、総合的に輝度ムラを抑制することができる。
さらに、発光素子２１に流れる駆動電流を個々に補正する必要がないため、各発光素子２１に流れる電流値の差による発光素子２１の劣化速度にばらつきが生じることがなく、発光輝度を増加させるために電流を多く流す必要もないため、長寿命化を図ることができる。
【００５８】
なお、上述した発光輝度検出工程として、発光素子２１に流れる駆動電流の電流値を測定して発光素子２１から射出される光の発光輝度を算出することも可能である。具体的には、駆動用ＴＦＴ１２３（図３参照）に電流を流し、各駆動用ＴＦＴ１２３に流れる電流値を測定する。この時、駆動用ＴＦＴ１２３に流れる電流値が大きい程、各発光素子２１に流れる電流値が大きく、発光輝度が高いということになる。そして、各発光素子２１の発光輝度のばらつきを検出し、この検出結果に基づいて着色層３７Ｒ，３７Ｇ，３７Ｂの膜厚を算出する。これにより、上述した第１実施形態と同様の効果を奏することができる。なお、発光輝度検出工程では、各発光素子２１の輝度ムラの測定と駆動用ＴＦＴ１２３の電流値の測定との双方を行うようにしてもよい。
【００５９】
（第２実施形態）
次に、図７に基づいて本発明の第２実施形態について説明する。図７は、図２のＢ−Ｂ’線に相当する断面図であり、第２実施形態の有機ＥＬ装置を模式的に示す断面図である。本実施形態では、複数の発光素子から射出される光の発光輝度に応じて、着色層の色材の濃度が設定されている点で上述した第１実施形態と相違している。なお、上述した第１実施形態と同様の構成については同一の符号を付し、説明は省略する。また、各色の着色層の構成は略同一であるため、本実施形態では赤色着色層を例にして説明する。
【００６０】
図７に示すように、本実施形態の有機ＥＬ装置２は、上述した発光輝度検出工程の検出結果に基づいて、発光素子２１から射出される光の発光輝度が高い発光素子２１に対応する赤色着色層１３７Ｒ−１の色材の濃度が濃く、発光輝度が低い発光素子２１に対応する赤色着色層１３７Ｒ−２の色材の濃度が薄く形成されている。つまり、発光輝度の高い発光素子２１に対応する赤色着色層１３７Ｒ−１の色材の濃度が、発光輝度の低い発光素子２１に対応する赤色着色層１３７Ｒ−２の色材の濃度に比べ濃くなるように形成されている。各着色層１３７Ｒ−１，１３７Ｒ−２の色材の濃度は、着色層１３７Ｒ−１，１３７Ｒ−２の形成材料に含まれる着色剤や添加剤の混合比率を異ならせて調整することが可能である。
【００６１】
このように、着色層３７Ｒ，３７Ｇ，３７Ｂ（図３参照）の色材の濃度を調整することで、着色層３７Ｒ，３７Ｇ，３７Ｂを透過する光の透過率を調整することができる。具体的には、着色層３７Ｒ，３７Ｇ，３７Ｂの色材の濃度を濃く形成するにつれ、光の透過率が低下して着色層３７Ｒ，３７Ｇ，３７Ｂで吸収される光の吸収量が多くなるため、着色層３７Ｒ，３７Ｇ，３７Ｂを透過した光の発光輝度は低下する。つまり、発光素子２１から射出される光の発光輝度に応じて、着色層３７Ｒ，３７Ｇ，３７Ｂの色材の濃度を設定することで、着色層３７Ｒ，３７Ｇ，３７Ｂを透過して表示面から取り出される光の発光輝度を均一化することができる。
【００６２】
したがって、本実施形態によれば、上述した第１実施形態と同様の効果を奏することに加え、各着色層３７Ｒ，３７Ｇ，３７Ｂの形成時には各着色層３７Ｒ，３７Ｇ，３７Ｂの色材の濃度を調整するだけであるので、製造効率を向上させることができる。
【００６３】
（第３実施形態）
次に、図８，９に基づいて本発明の第３実施形態について説明する。図８は、図２のＢ−Ｂ’線に相当する断面図であり、第３実施形態の有機ＥＬ装置を模式的に示す断面図である。図９は図８の平面図である。なお、図８では説明をわかり易くするため、着色層及びブラックマトリクス層のみを示している。本実施形態では、複数の発光素子から射出される光の発光輝度に応じて、発光素子のそれぞれの発光領域に対応する着色層の発光領域との対向面の面積が設定されている点で、上述した第１，２実施形態と相違している。なお、上述した第１実施形態と同様の構成については同一の符号を付し、説明は省略する。また、各色の着色層の構成は略同一であるため、本実施形態では赤色着色層を例にして説明する。
【００６４】
図８，９に示すように、本実施形態の有機ＥＬ装置３は、上述した発光輝度検出工程の検出結果に基づいて、各発光素子２１のうち、発光輝度が高い発光素子２１の発光領域５０Ｒ−１に対応する赤色着色層２３７Ｒ−１の発光領域５０Ｒ−１との対向面の面積が大きく、発光輝度が低い発光素子２１に対応する赤色着色層２３７Ｒ−２の発光領域５０Ｒ−２との対向面の面積が小さく形成されている。つまり、発光輝度の高い発光素子２１に対応する赤色着色層２３７Ｒ−１の発光領域５０Ｒ−１との対向面の面積が、発光輝度の低い発光素子２１に対応する赤色着色層２３７Ｒ−２の発光領域５０Ｒ−２との面積に比べ大きくなるように形成されている。
【００６５】
具体的には、発光輝度の低い発光素子２１は、発光領域５０Ｒ−２と赤色着色層２３７Ｒ−２との平面視で重なった領域の面積が、発光領域５０Ｒ−２の面積より小さく形成されている。また、赤色着色層２３７Ｒ−２は、発光領域５０Ｒ−２の平面視中央部で重なるように配置されている。したがって、発光領域５０Ｒ−２と赤色着色層２３７Ｒ−２とが平面視で重ならない領域、つまり赤色着色層２３７Ｒ−２の周囲には、透過エリアＦが形成される。この透過エリアＦは、ブラックマトリクス層３２と赤色着色層２３７Ｒ−２との間であって、赤色着色層２３７Ｒ−２を取り囲むように形成された領域である。透過エリアＦでは、発光素子２１から射出される白色光が封止基板３１をそのまま透過することになる。なお、上述した発光領域（例えば、図８，９中符号５０Ｒ−１，５０Ｒ−２）とは、陽極１０及び発光層４０、陰極１１の３層が積層された領域、つまり陽極１０と陰極１１によって発光層４０が挟持され、実質的に発光に寄与する領域を示している。また、着色層の形状は矩形状に限らず、円形等の様々な形状を採用することが可能である。
【００６６】
このように、本実施形態によれば、発光素子２１から射出される光のうち、一部の光は赤色着色層２３７Ｒ−２を透過し、残りの光は赤色着色層２３７Ｒ−２を透過せずに透過エリアＦを透過するため、発光層４０から射出された白色光の状態で封止基板３１を透過することになる。つまり、封止基板３１から取り出される光は、赤色着色層２３７Ｒ−２を透過した光と透過エリアＦを透過した光とによって構成されることになる。
ここで、透過エリアＦから取り出される光は、赤色着色層２３７Ｒ−２で吸収されることなく取り出されるため、発光素子２１から射出された状態の発光輝度を維持することができる。そして、封止基板３１の表示面から表示される画像は、赤色着色層２３７Ｒ−２によって着色された光と、透過エリアＦを透過した高輝度な光とによって表示される。したがって、上述した第１実施形態と同様に、様々な原因により発光素子２１に輝度ムラが発生した場合でも、表示面から取り出される最終的な光の発光輝度を均一化することができる。
【００６７】
また、発光輝度の低い発光領域５０Ｒ−２の平面視中央部にのみ赤色着色層２３７Ｒ−２が重なるように配置されているため、表示面を斜めから見た場合、つまり視野角が大きい場合にも所望の発光輝度を確保することができる。つまり、視野角が大きい場合には、赤色着色層２３７Ｒ−２の周囲に形成された透過エリアＦから透過した発光輝度の高い光を見ることになるため、発光輝度の視野角特性を向上させることができる。また、赤色着色層２３７Ｒ−２を発光領域５０Ｒ−２の中央部に形成することで、赤色着色層２３７Ｒ−２の形成時における誤差を許容することができるため、アライメントが容易になる。
なお、透過エリアＦの面積が大きくなり色純度が低い場合には、各着色層３７Ｒ，３７Ｇ，３７Ｂの膜厚や色材の濃度を変更して各着色層３７Ｒ，３７Ｇ，３７Ｂの色純度を向上させることで、全体の色再現性を調整することが可能である。
【００６８】
（光共振器構造）
次に、図１０に基づいて、本発明の有機ＥＬ装置の他の構成について説明する。図１０は有機ＥＬ装置の他の構成を模式的に示す断面図である。図１０では、上述した金属反射板と陰極との間で発光層から射出された光を共振させる光共振構造を採用している点で、第３実施形態と相違している。したがって、上述した第３実施形態と同様の構成については同一の符号を付し、説明は省略する。
【００６９】
図１０に示すように、本実施形態における有機ＥＬ装置６の陰極１１１は、発光層４０から発光した光の一部を透過し、残りの光の一部又は全部を金属反射板１５側に反射する半透過反射性を有しており、画素隔壁１３及び発光層４０を覆うように形成されている。一般に、上述したＩＴＯ等の透光性導電膜は、大気層との界面で１０％程度の反射率を有しており、特段の工夫を施さなければ、このような透光性導電膜を用いた陰極１１１は、上記のような半透過反射性を有するものとなっている。
【００７０】
ここで、発光層４０は、上述した半透過反射機能を有する陰極１１１と金属反射板１５との間に挟持されており、これら陰極１１１と金属反射板１５との間で、発光層４０から射出された光を共振させる光共振構造が形成されている。この構成によれば、発光層４０から射出された光は、金属反射板１５と陰極１１１との間で往復し、金属反射板１５と陰極１１１との間の光学的距離に対応した共振波長の光だけが増幅されて取り出される（図５中矢印参照）。このため、発光輝度が高く、スペクトルもシャープな光を取り出すことができる。
【００７１】
各発光素子２１の共振波長は、金属反射板１５と陰極１１１との間の光学的距離、つまり金属反射板１５と陰極１１１との間に形成された各層（例えば、有機機能層１２、陽極１１０）の膜厚と屈折率とのそれぞれの積の総和によって求められる。本実施形態では、各画素領域ＸＲ，ＸＧ、ＸＢの光共振器構造における金属反射板１５と陰極１１１との間の光学的距離を調整することで、各画素領域ＸＲ，ＸＧ、ＸＢの共振波長を異ならせている。つまり、光共振器構造における共振波長の異なる複数の発光素子２１が含まれているため、白色光を発光する発光層４０からはそれぞれ異なった色（例えば、赤色光、緑色光、青色光）が取り出されるようになっている。
【００７２】
これらの共振波長は、本実施形態の場合、発光素子２１の陽極１１０の膜厚によって調節することが好ましい。具体的には、各画素領域ＸＲ，ＸＧ、ＸＢにおける陽極１１０の膜厚は、共振波長が最も大きくなる画素領域ＸＲの陽極１１０Ｒが最大となり、その次に、画素領域ＸＧの陽極１１０Ｇ、画素領域ＸＢの陽極１１０Ｂの順で膜厚が薄くなっている。また、光学的距離は表示面（封止基板３１の表面）を正面から見た場合、つまり視野角０°の時に各色を発光する発光素子２１が最適な共振波長の条件となるように設定されている。具体的には、光学的距離をＬ、発光層４０で発光した光が陽極１０または陰極１１１で反射する際に生じる位相シフトをΦ（例えば、−３／２π（ｒａｄ））、発光層４０から射出される光のうち取り出したい光のスペクトルのピーク波長をλとすると、２Ｌ＝λ（ｍ−Φ／２π）（ｍは整数）となる。なお、上述した視野角とは、視覚方向と封止基板３１の表示面の法線とのなす角度とする。
【００７３】
このように本実施形態によれば、第３実施形態と同様の効果を奏することに加え、発光層４０から射出された光を共振させる光共振構造を採用したため、各画素領域ＸＲ，ＸＧ、ＸＢからは金属反射板１５と陰極１１１との間の光学的距離に対応した共振波長の条件を満たす光のみが増幅されて取り出される。つまり、赤色光（Ｒ），緑色光（Ｇ），青色光（Ｂ）の各色に対応する共振波長を有する発光素子２１を形成することで、フルカラー表示が可能な有機ＥＬ装置６を提供することができる。
これにより、赤色着色層２３７Ｒ−２（図９参照）を透過せずに透過エリアＦ（図９参照）を透過した光自体も、赤色光、緑色光、青色光の各画素領域ＸＲ，ＸＧ、ＸＢに対応した色の光として取り出すことができる。そして、封止基板３１の表示面から表示される画像は、赤色着色層２３７Ｒ−２によって着色された光と、透過エリアＦを透過した高輝度かつ画素領域ＸＲ，ＸＧ、ＸＢに対応した色を有する光とによって表示される。したがって、低電流で高輝度を得ることに加え、色再現性を向上させることができる。
また、視野角が大きい場合においても、発光輝度及び色純度の視野角特性を向上させることができる。
【００７４】
なお、上述した実施形態では、各着色層の間にブラックマトリクス層３２を形成した場合について説明したが、ブラックマトリクス層３２を形成せず、各着色層の間の領域を光透過領域として構成することも可能である。この場合、光透過領域において、発光素子２１から隣接する発光素子２１に対応する着色層に入射する光が、封止基板３１と空気との境界面で全反射条件を満たすように設定されていることが好ましい。この全反射条件は、封止基板３１の屈折率をｎ１、空気の屈折率をｎ２、封止基板３１への入射角をθ１、封止基板３１からの出射角をθ２とすると、ｎ１，ｎ２，ｓｉｎθ１，ｓｉｎθ２の関係は、ｎ１ｓｉｎθ１＝ｎ２ｓｉｎθ２となる。そして、全反射条件を満たすためには、θ２≧９０°となるようにｎ１，ｓｉｎθ１を設定すればよい。具体的には、任意の発光領域と隣接する発光領域の着色層との水平及び垂直方向の距離を調整することで任意の発光領域から射出され隣接する着色層に入射する光の入射角θ１を調整する。また、封止基板の屈折率ｎ１を調整することも可能である。この場合、θ２≧９０°となる光は、封止基板３１と空気との境界面を透過せず、全て素子基板２０Ａ側に反射するようになっている。これにより、発光領域から射出された光が、隣接する発光領域に対応する着色層を透過することがない。そのため、例えば着色層間にブラックマトリクス層等の非発光領域を設けることなく、隣接する画素領域間の光漏れを防止して、色再現性を維持することができる。
【００７５】
（電子機器）
次に、本発明の電子機器について説明する。
電子機器は、上述した有機ＥＬ装置（例えば、有機ＥＬ装置１〜３，６）を表示部として有したものであり、具体的には図１１に示すものが挙げられる。
図１１（ａ）は、携帯電話の一例を示した斜視図である。図１１（ａ）において、携帯電話１０００は、上述した有機ＥＬ装置を用いた表示部１００１を備える。
図１１（ｂ）は、腕時計型電子機器の一例を示した斜視図である。図１１（ｂ）において、時計（電子機器）１１００は、上述した有機ＥＬ装置を用いた表示部１１０１を備える。
図１１（ｃ）は、ワープロ、パソコンなどの携帯型情報処理装置の一例を示した斜視図である。図１１（ｃ）において、情報処理装置１２００は、キーボードなどの入力部１２０２、上述した有機ＥＬ装置を用いた表示部１２０６、情報処理装置本体（筐体）１２０４を備える。
図１１（ｄ）は、薄型大画面テレビの一例を示した斜視図である。図１１（ｄ）において、薄型大画面テレビ１３００は、薄型大画面テレビ本体（筐体）１３０２、スピーカーなどの音声出力部１３０４、上述した有機ＥＬ装置１を用いた表示部１３０６を備える。
【００７６】
図１１（ａ）〜（ｄ）に示すそれぞれの電子機器は、上述した有機ＥＬ装置を有した表示部１００１，１１０１，１２０６，１３０６を備えているので、表示部が低電流で高輝度を得ることを図られたものとなる。
【００７７】
また、有機ＥＬ装置を表示部として備える場合に限らず、発光部として備える電子機器であってもよい。例えば、有機ＥＬ装置を露光ヘッド（ラインヘッド）として備えるページプリンタ（画像形成装置）であってもよい。
【００７８】
なお、本発明の技術範囲は、上述した実施形態に限定されるものではなく、本発明の趣旨を逸脱しない範囲において、上述した実施形態に種々の変更を加えたものを含む。例えば、上述した正孔注入・輸送層あるいは発光層のインク組成物は、低分子、高分子、デンドリマー等の分子形態に関係なく、また発光層の形成材料は、例えば蛍光、燐光材料ともに有効である。
【００７９】
また、上述した第１〜第３実施形態を適宜組み合わせたり、各実施形態の構成に加えて駆動電流を補正する補正回路を設けたりすることも可能である。
さらに、上述の実施形態では、各発光素子に対応する着色層の膜厚や、濃度、面積等を調整する場合について説明したが、表示面の領域毎（例えば、表示面の中央部、外周部等）に区画して調整することも可能である。この場合、着色層の形成方法は、インクジェット法に限らず、スピンコート法の回転速度を各領域毎に調整したり、スクリーン印刷法等により形成したりすることも可能である。
【００８０】
また、上述した光共振器構造において、光学的距離の設定方法として、陽極の膜厚を調整する場合について説明したが、有機機能層の膜厚を厚く形成してもよい。
また、有機機能層や陽極の構成材料を変化させて屈折率を調整することで、光学的距離を調整することも可能である。
また、各画素隔壁間（画素領域）に赤色発光層、緑色発光層、青色発光層をそれぞれ形成し、これら各色の発光層に対応して各色の着色層を配置する構成も可能である。
【図面の簡単な説明】
【００８１】
【図１】本発明の実施形態における有機ＥＬ装置の配線構造を示す図である。
【図２】本発明の実施形態における有機ＥＬ装置の構成を示す模式図である。
【図３】本発明の実施形態における図２のＡ−Ａ’線に沿う有機ＥＬ装置を模式的に示す断面図である。
【図４】本発明の実施形態における有機ＥＬ装置の素子基板側の工程図である。
【図５】本発明の実施形態における有機ＥＬ装置の封止基板側の工程図である。
【図６】本発明の第１実施形態における図２のＢ−Ｂ’線に沿う有機ＥＬ装置を模式的に示す断面図である。
【図７】本発明の第２実施形態における図２のＢ−Ｂ’線に相当する有機ＥＬ装置を模式的に示す断面図である。
【図８】本発明の第３実施形態における図２のＢ−Ｂ’線に相当する有機ＥＬ装置を模式的に示す断面図である。
【図９】図６の平面図である。
【図１０】本発明の実施形態における図２のＡ−Ａ’線に相当する光共振器構造を有する有機ＥＬ装置を模式的に示す断面図である。
【図１１】本発明の実施形態に係る電子機器を示す図である。
【符号の説明】
【００８２】
１，２，３，４…有機ＥＬ装置（発光装置）  １０，１１０，１１０Ｒ，１１０Ｇ，１１０Ｂ…陽極（第１電極）  １１，１１１…陰極（第２電極）  １５…金属反射板（光反射層）  ２１…発光素子  ３７Ｒ，３７Ｇ，３７Ｂ，３７Ｒ−１，３７Ｒ−２，１３７Ｒ−１，１３７Ｒ−２，２３７Ｒ−１，２３７Ｒ−２…着色層  ４０…発光層  ５０Ｒ−１，５０Ｒ−２…発光領域  １０００…携帯電話（電子機器）、１１００…時計（電子機器）、１２００…情報処理装置（電子機器）、１３００…薄型大画面テレビ（電子機器）、１００１，１１０１，１２０６，１３０６…表示部（発光装置）  Ｘ，ＸＲ，ＸＧ，ＸＢ…画素領域
【図１】
2009164025.tif 000003
【図２】
2009164025.tif 000004
【図３】
2009164025.tif 000005
【図４】
2009164025.tif 000006
【図５】
2009164025.tif 000007
【図６】
2009164025.tif 000008
【図７】
2009164025.tif 000009
【図８】
2009164025.tif 000010
【図９】
2009164025.tif 000011
【図１０】
2009164025.tif 000012
【図１１】
2009164025.tif 000013